【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
テルペノイド産物の生成を触媒し、かつ、配列番号２の残基265〜535に対して35％以上の配列同一性を有する領域をもつ単離されたテルペンシンターゼであって、該シンターゼが19個のα-炭素を含み、該19個のα-炭素は下記のÅで表した原子間距離：
2011172576.tif 000001
の±2.3Åであるα-炭素間の原子間距離を有し、該α-炭素のそれぞれの中心点が半径2.3Åの球内に位置し、該球のそれぞれの中心点が下記の構造座標：
2011172576.tif 000002
を有し、該α-炭素のそれぞれが関連するＲ基を有しており（ここで、該19個のＲ基と関連するα-炭素の位置は、配列番号２のアミノ酸位置270, 273, 294, 297, 298, 376, 401, 402, 403, 404, 407, 440, 444, 516, 519, 520, 525, 527 および528とアラインメントするものである）、該テルペンシンターゼが、配列番号２のポリペプチド中のα-炭素に関連するＲ基とは異なる複数個のα-炭素に関連するＲ基を含み、該シンターゼが下記のＲ基の順序配列：
2011172576.tif 000003
とは異なるＲ基の順序配列を有することを特徴とする、上記シンターゼ。
【請求項２】
配列番号２の残基265〜535に対して40％以上の配列同一性を有する、請求項１に記載のシンターゼ。
【請求項３】
テルペノイド産物の生成を触媒し、かつ、配列番号２の残基265〜535に対して40％以上の配列同一性を有する領域をもつ単離されたテルペンシンターゼであって、配列番号２のアミノ酸位置270, 273, 294, 297, 298, 376, 401, 402, 403, 404, 407, 440, 444, 516, 519, 520, 525, 527 および528のアミノ酸残基とアラインメントする該シンターゼの複数個のアミノ酸残基が、下記の残基の順序配列：
2011172576.tif 000004
とは異なる残基を有することを特徴とする、上記シンターゼ。
【請求項４】
配列番号２の残基265〜535に対して50％以上の配列同一性を有する、請求項３に記載のシンターゼ。
【請求項５】
配列番号２の残基265〜535に対して60％以上の配列同一性を有する、請求項３に記載のシンターゼ。
【請求項６】
配列番号２の残基265〜535に対して70％以上の配列同一性を有する、請求項３に記載のシンターゼ。
【請求項７】
配列番号２の残基265〜535に対して80％以上の配列同一性を有する、請求項３に記載のシンターゼ。
【請求項８】
前記シンターゼが配列番号２のポリペプチドによって生成されない産物を生成する、請求項１〜７のいずれに記載のシンターゼ。
【請求項９】
テルペノイド産物の生成を触媒し、かつ、配列番号33によってコードされるアミノ酸残基272〜540に対して40％以上の配列同一性を有する領域をもつ単離されたテルペンシンターゼであって、配列番号33によってコードされるアミノ酸位置277、280、301、304、305、383、408、409、410、411、414、448、452、524、527、528、532、534および535とアラインメントする該シンターゼの複数個のアミノ酸残基が、下記の残基の順序配列：
2011172576.tif 000005
とは異なる残基であることを特徴とする、上記シンターゼ。
【請求項１０】
前記シンターゼが配列番号33のポリペプチドによって生成されない産物を生成する、請求項９に記載のシンターゼ。
【請求項１１】
テルペノイド産物の生成を触媒し、かつ、配列番号42のアミノ酸残基319〜571に対して40％以上の配列同一性を有する領域をもつ単離されたテルペンシンターゼであって、配列番号42のアミノ酸位置324、327、348、351、352、430、455、456、457、458、461、495、499、571、574、575、579、581および582のアミノ酸残基とアラインメントする該シンターゼの複数個のアミノ酸残基が、下記の残基の順序配列：
2011172576.tif 000006
とは異なる残基であることを特徴とする、上記シンターゼ。
【請求項１２】
前記シンターゼが配列番号42のポリペプチドによって生成されない産物を生成する、請求項１１に記載のシンターゼ。
【請求項１３】
テルペノイド産物の生成を触媒し、かつ、配列番号52のアミノ酸残基264〜533に対して40％以上の配列同一性を有する領域をもつ単離されたテルペンシンターゼであって、配列番号52のアミノ酸位置269、272、293、296、297、375、401、402、403、404、407、441、445、517、520、521、525、527および528のアミノ酸残基とアラインメントする該シンターゼの複数個のアミノ酸残基が、下記の残基の順序配列：
2011172576.tif 000007
とは異なる残基であることを特徴とする、上記シンターゼ。
【請求項１４】
前記シンターゼが配列番号52のポリペプチドによって生成されない産物を生成する、請求項１３に記載のシンターゼ。
【請求項１５】
テルペノイド産物の生成を触媒し、かつ、配列番号56のアミノ酸残基585〜853に対して40％以上の配列同一性を有する領域をもつ単離されたテルペンシンターゼであって、配列番号56のアミノ酸位置590、593、614、617、618、696、721、722、723、724、727、761、765、837、840、841、845、847および848のアミノ酸残基とアラインメントする該シンターゼの複数個のアミノ酸残基が、下記の残基の順序配列：
2011172576.tif 000008
とは異なる残基であることを特徴とする、上記シンターゼ。
【請求項１６】
前記シンターゼが配列番号56のポリペプチドによって生成されない産物を生成する、請求項１５に記載のシンターゼ。
【請求項１７】
テルペノイド産物の生成を触媒し、かつ、配列番号28のアミノ酸残基265〜536に対して40％以上の配列同一性を有する領域をもつ単離されたテルペンシンターゼであって、配列番号28のアミノ酸位置270、273、294、297、298、376、401、402、403、404、407、440、444、518、521、522、528、530および531のアミノ酸残基とアラインメントする該シンターゼの複数個のアミノ酸残基が、下記の残基の順序配列：
2011172576.tif 000009
とは異なる残基であることを特徴とする、上記シンターゼ。
【請求項１８】
前記シンターゼが配列番号28のポリペプチドによって生成されない産物を生成する、請求項１７に記載のシンターゼ。
【請求項１９】
テルペノイド産物の生成を触媒し、かつ、配列番号32のアミノ酸残基307〜541に対して40％以上の配列同一性を有する領域をもつ単離されたテルペンシンターゼであって、配列番号32のアミノ酸位置278、281、302、305、306、384、409、410、411、412、415、448、452、524、527、528、533、535および536のアミノ酸残基とアラインメントする該シンターゼの複数個のアミノ酸残基が、下記の残基の順序配列：
2011172576.tif 000010
とは異なる残基であることを特徴とする、上記シンターゼ。
【請求項２０】
前記シンターゼが配列番号32のポリペプチドによって生成されない産物を生成する、請求項１９に記載のシンターゼ。
【請求項２１】
モノテルペン基質からのテルペノイド産物の生成を触媒する、請求項１〜２０のいずれかに記載のシンターゼ。
【請求項２２】
セスキテルペン基質からのテルペノイド産物の生成を触媒する、請求項１〜２０のいずれかに記載のシンターゼ。
【請求項２３】
ジテルペン基質からのテルペノイド産物の生成を触媒する、請求項１〜２０のいずれかに記載のシンターゼ。
【請求項２４】
前記産物が環式テルペノイド炭化水素である、請求項２１に記載のシンターゼ。
【請求項２５】
前記産物が環式テルペノイド炭化水素である、請求項２２に記載のシンターゼ。
【請求項２６】
前記産物が環式テルペノイド炭化水素である、請求項２３に記載のシンターゼ。
【請求項２７】
請求項１〜２６のいずれかに記載のシンターゼをコードする単離された核酸。
【請求項２８】
請求項２７記載のシンターゼをコードする核酸を含む宿主細胞。
【請求項２９】
原核細胞、真核細胞、昆虫細胞、および植物細胞から選択される、請求項２８記載の宿主細胞。
【請求項３０】
請求項１〜２６のいずれかに記載のシンターゼを基質と接触させ、それによってイソプレノイド産物の形成を触媒することを含む、イソプレノイド産物の製造方法。
【請求項３１】
前記基質がモノテルペン基質、セスキテルペン基質、またはジデルペン基質から選択される、請求項３０記載の方法。
【請求項３２】
前記テルペノイド産物が、環式テルペノイド炭化水素、非環式テルペノイド炭化水素、環式ヒドロキシル化テルペノイド炭化水素、または非環式ヒドロキシル化テルペノイド炭化水素から選択される、請求項３０または３１記載の方法。